(57)【要約】【課題】投射型画像表示装置において、画像形成素子を簡単な構成で精度良く保持できると共に、樹脂製部品から発生するアウトガスによる悪影響を受けないようにする。【解決手段】  投射型画像表示装置は、画像投射エンジン２０を備える。画像投射エンジン２０は、画像形成素子１７と、画像形成素子１７を保持するキャスティング１９と、画像形成素子１７を固定する固定用スプリング４０とを備える。キャスティング１９は、画像形成素子１７の画像形成面が臨む開口１９ａと、画像形成素子１７を位置決めする位置決めリブ１９ｂと、固定用スプリング４０をキャスティング１９に取付けるためのスプリング取付部１９ｄ、１９ｅとを有する。固定用スプリング４０は、金属により形成されており、スプリング取付部１９ｄ、１９ｅに取付けられる。画像形成素子１７は、固定用スプリング４０により、位置決めリブ１９ｂに押し付けられて固定される。【特許請求の範囲】
【請求項１】
画像投射用の光を出射するランプと、前記ランプから出射された画像投射用の光を反射することにより画像を形成する画像形成素子と、前記画像形成素子により形成された画像を投射するための投射レンズと、前記画像形成素子、及び前記投射レンズを保持するキャスティングとを備え、前記キャスティングは、前記画像形成素子の画像形成面が臨む開口を有し、前記画像形成素子は、画像形成面が前記キャスティングの開口に臨んで保持される投射型画像表示装置において、
前記画像形成素子を位置決めする前記キャスティングに設けられた位置決めリブと、
前記キャスティングに取付けられて、前記画像形成素子を前記位置決めリブに押し付けて前記画像形成素子を固定する金属により形成された固定用スプリングと、
前記キャスティングに設けられた、前記固定用スプリングを前記キャスティングに取付けるためのスプリング取付部とをさらに備え、
前記位置決めリブは、前記画像形成素子の隣接する２つの側面が当接されるものであり、前記開口の周辺の一部に前記キャスティングと一体に形成されており、
前記スプリング取付部は、前記固定用スプリングが挿入されることにより前記固定用スプリングを保持する複数の保持突部から成り、該保持突部が前記開口を挟んで前記位置決めリブと反対側に前記キャスティングと一体に形成されており、
前記固定用スプリングは、前記保持突部の間に挿入され保持されて、前記画像形成素子の前記位置決めリブに当接される２つの側面と反対側の隣接する２つの側面を前記位置決めリブに向けて押し付けるものであることを特徴とする投射型画像表示装置。
【請求項２】
画像投射用の光を出射するランプと、前記ランプから出射された画像投射用の光を反射することにより画像を形成する画像形成素子と、前記画像形成素子により形成された画像を投射するための投射レンズと、前記画像形成素子、及び前記投射レンズを保持するキャスティングとを備え、前記キャスティングは、前記画像形成素子の画像形成面が臨む開口を有し、前記画像形成素子は、画像形成面が前記キャスティングの開口に臨んで保持される投射型画像表示装置において、
前記画像形成素子を位置決めする前記キャスティングに設けられた位置決めリブと、
前記キャスティングに取付けられて、前記画像形成素子を前記位置決めリブに押し付けて前記画像形成素子を固定する固定用スプリングとを備えたことを特徴とする投射型画像表示装置。
【請求項３】
前記固定用スプリングは、金属により形成されている請求項２に記載の投射型画像表示装置。
【発明の詳細な説明】
【技術分野】
【０００１】
本発明は、画像を投射して表示する投射型画像表示装置に関するものである。
【背景技術】
【０００２】
従来から、パソコンやビデオカメラ等からの画像データを基に、ランプから出射される光を用いて画像形成素子により画像を形成し、その画像をスクリーン等に投射して表示する投射型画像表示装置が知られている。
【０００３】
この種の画像表示プロジェクタは、図７（ａ）（ｂ）に示すように、画像形成素子９１がキャスティング９２に保持される構成となっている。画像形成素子９１は、画像形成面９１ａで光を反射することにより画像を形成するものであり、画像形成面９１ａがガラス製の窓９１ｂに臨んでいる。この画像形成素子９１は、窓９１ｂが露出するようにアウタフレーム９３に装着される。アウタフレーム９３は、樹脂により形成されており、保持片９３ａにより画像形成素子９１を保持する。画像形成素子９１を保持したアウタフレーム９３は、突部９３ｂをキャスティング９２に設けられた挿入孔９２ａに嵌合することにより、キャスティング９２に取付けられる。これにより、画像形成素子９１は、画像形成面が臨む窓９１ｂがキャスティング９２の開口９２ｂに臨んで保持される。
【０００４】
また、画像形成素子９１を制御する制御信号を伝達するための回路基板（不図示）が、キャスティング９２に設けられたネジ孔９２ｃにネジ止めされて、アウタフレーム９３の背後に接合されるようになっている。上記アウタフレーム９３には、多数のコネクタ端子９３ｃがインサート成形されており、各コネクタ端子９３ｃは、回路基板と画像形成素子９１の背面（窓９１ｂと反対側の面）に設けられた電極（不図示）とを電気的に接続するようになっている。
【０００５】
なお、上記キャスティング９２は、上記画像形成素子９１に加え、配色装置９５、ライトインテグレータ９６、ダブレットレンズ９７、反射ミラーやリレーレンズ等の光学素子、投射レンズ９８を保持している。ランプ（不図示）から出射された光は、配色装置９５により配色された後、ライトインテグレータ９６により凝縮、均一化される。そして、その光は、ダブレットレンズ９７及び反射ミラーやリレーレンズ等の光学素子を介して、画像形成素子９１に照射され、画像形成素子９１からの反射光（画像形成素子９１にて形成された画像）が投射レンズ９８を介して投射されるようになっている。
【０００６】
一方、反射型投影装置に関し、コンデンサレンズの大きさ及び焦点距離を変更し、コンデンサレンズの焦点距離近傍に投射レンズを配置した構成とすることで、投射レンズの小型化及び装置全体のコスト低減を図ったものが知られている（例えば、特許文献１参照）。
【特許文献１】特開２０００−２３１０７９号公報
【発明の開示】
【発明が解決しようとする課題】
【０００７】
ところが、上述した投射型画像表示装置においては、画像形成素子９１をキャスティング９２に保持するためにアウタフレーム９３を用いており、アウタフレーム９３は、保持片９３ａ、突部９３ｂ、コネクタ端子９３ｃ等を有しており、構成が複雑であるため、高コストになっていた。しかも、アウタフレーム９３に部品誤差があると、画像形成素子９１の保持位置に誤差が生じ、表示される画質が低下する虞がある。
【０００８】
また、アウタフレーム９３は、樹脂製であるため、画像形成素子９１に光が照射されることにより生じる熱によって、アウトガスを発生する。このアウトガス成分は、画像形成素子９１の窓９１ｂや配色装置９５、ライトインテグレータ９６、ダブレットレンズ９７、反射ミラーやリレーレンズ等の光学素子、投射レンズ９８に付着して、それらを汚し、その結果、表示する画像の画質を低下させる虞がある。なお、上述した特許文献１に開示の内容を適用したとしても、上記の課題を解決することはできない。
【０００９】
本発明は、上記課題を解決するためになされたものであり、画像形成素子を簡単な構成で精度良く保持できると共に、樹脂製部品から発生するアウトガスによる悪影響を受けることがない投射型画像表示装置を提供することを目的とする。
【課題を解決するための手段】
【００１０】
上記目的を達成するために請求項１の発明は、画像投射用の光を出射するランプと、ランプから出射された画像投射用の光を反射することにより画像を形成する画像形成素子と、画像形成素子により形成された画像を投射するための投射レンズと、画像形成素子、及び投射レンズを保持するキャスティングとを備え、キャスティングは、画像形成素子の画像形成面が臨む開口を有し、画像形成素子は、画像形成面がキャスティングの開口に臨んで保持される投射型画像表示装置において、画像形成素子を位置決めするキャスティングに設けられた位置決めリブと、キャスティングに取付けられて、画像形成素子を位置決めリブに押し付けて画像形成素子を固定する金属により形成されている固定用スプリングと、キャスティングに設けられた、固定用スプリングをキャスティングに取付けるためのスプリング取付部とをさらに備え、位置決めリブは、画像形成素子の隣接する２つの側面が当接されるものであり、開口の周辺の一部にキャスティングと一体に形成されており、スプリング取付部は、固定用スプリングが挿入されることにより固定用スプリングを保持する複数の保持突部から成り、該保持突部が開口を挟んで位置決めリブと反対側にキャスティングと一体に形成されており、固定用スプリングは、保持突部の間に挿入され保持されて、画像形成素子の位置決めリブに当接される２つの側面と反対側の隣接する２つの側面を位置決めリブに向けて押し付けるものである。
【００１１】
この構成においては、画像形成素子は、キャスティングに取付けられる固定用スプリングにより、キャスティングに設けられた位置決めリブに押し付けられて固定される。従って、画像形成素子を簡単な構成で保持できる。また、固定用スプリングは、キャスティングに設けられた保持突部の間に挿入するだけで、容易にキャスティングに取付けることができ、画像形成素子は、位置決めリブと固定用スプリングとの間に嵌め込むだけで、容易にキャスティングに取付けることができる。しかも、画像形成素子は、キャスティングに設けられた位置決めリブに押付けられるため、部品誤差等による保持位置の誤差が少なくなり、適切な位置に精度良く位置決めして保持することができる。また、固定用スプリングは、金属により形成されているためアウトガスを発生することがなく、画像形成素子や投射レンズ等は、アウトガスによる汚れを生じることがない。
【００１２】
請求項２の発明は、画像投射用の光を出射するランプと、ランプから出射された画像投射用の光を反射することにより画像を形成する画像形成素子と、画像形成素子により形成された画像を投射するための投射レンズと、画像形成素子、及び投射レンズを保持するキャスティングとを備え、キャスティングは、画像形成素子の画像形成面が臨む開口を有し、画像形成素子は、画像形成面がキャスティングの開口に臨んで保持される投射型画像表示装置において、画像形成素子を位置決めするキャスティングに設けられた位置決めリブと、キャスティングに取付けられて、画像形成素子を位置決めリブに押し付けて画像形成素子を固定する固定用スプリングとを備えたものである。
【００１３】
この構成においては、画像形成素子は、キャスティングに取付けられる固定用スプリングにより、キャスティングに設けられた位置決めリブに押し付けられて固定される。従って、画像形成素子を簡単な構成で保持できる。しかも、画像形成素子は、キャスティングに設けられた位置決めリブに押付けられるため、部品誤差等による保持位置の誤差が少なくなり、適切な位置に精度良く位置決めして保持することができる。
【００１４】
請求項３の発明は、請求項２に記載の投射型画像表示装置において、固定用スプリングは、金属により形成されているものである。
【００１５】
この構成においては、固定用スプリングは、金属により形成されているため、熱によりアウトガスを発生することがない。従って、固定用スプリングは、画像形成素子が光の照射により加熱されてもアウトガスを発生せず、画像形成素子や投射レンズ等は、アウトガスによる汚れを生じることがない。
【発明の効果】
【００１６】
請求項１の発明によれば、キャスティングに設けられた位置決めリブとキャスティングに取付けられる固定用スプリングとにより画像形成素子をキャスティングに保持する構成であるため、画像形成素子を簡単な構成で保持することができ、コストを低減することができる。また、固定用スプリング及び画像形成素子は、容易にキャスティングに取付けることができ、製造コストも低減することができる。しかも、画像形成素子はキャスティングに設けられた位置決めリブにより位置決めされるため、画像形成素子を適切な位置に精度良く保持することができ、高画質な画像を表示することができる。また、固定用スプリングが金属により形成されているため、アウトガスによる画像形成素子や投射レンズ等の汚れを生じることがなく、より高画質な画像を表示することができる。
【００１７】
請求項２の発明によれば、キャスティングに設けられた位置決めリブとキャスティングに取付けられる固定用スプリングとにより画像形成素子をキャスティングに保持する構成であるため、画像形成素子を簡単な構成で保持することができ、コストを低減することができる。しかも、画像形成素子はキャスティングに設けられた位置決めリブにより位置決めされるため、画像形成素子を適切な位置に精度良く保持することができ、高画質な画像を表示することができる。
【００１８】
請求項３の発明によれば、固定用スプリングが金属により形成されているため、アウトガスによる画像形成素子や投射レンズ等の汚れを生じることがなく、高画質な画像を表示することができる。
【発明を実施するための最良の形態】
【００１９】
以下、本発明を具体化した実施形態について図面を参照して説明する。図１において、投射型画像表示装置１は、パソコンやビデオカメラ等から入力される画像信号を基に、内蔵の画像形成素子を用いて画像を形成し、その画像をスクリーンや壁面等に投射表示する装置である。
【００２０】
この投射型画像表示装置１は、外装ケース２の前面に投射レンズ３を備えており、画像形成素子で形成した画像をこの投射レンズ３から投射するようになっている。また、投射型画像表示装置１は、外装ケース２の内部に、画像を形成して投射レンズ３から投射させるための画像投射光学系を備えている。
【００２１】
次に、上記画像投射光学系、及び画像投射光学系の一部を一体的に組み立てて保持した画像投射エンジンについて、図２及び図３（ａ）（ｂ）を参照して説明する。画像投射光学系１０は、図２に示すように、上述の投射レンズ３に加え、ランプ１１と、配色装置１２と、ライトインテグレータ１３と、ダブレットレンズ１４と、反射ミラー１５と、リレーレンズ１６と、画像形成素子１７とを備えている。
【００２２】
画像投射光学系１０の一部は、図３（ａ）（ｂ）に示すように、一体的に組み立てて保持されて、画像投射エンジン２０として構成されている。画像投射エンジン２０は、画像投射光学系１０のうち、投射レンズ３、配色装置１２、ライトインテグレータ１３、ダブレットレンズ１４、反射ミラー１５、リレーレンズ１６、及び画像形成素子１７をキャスティング１９に一体的に組み立てて保持している。また、画像投射エンジン２０は、これらに加え、回路基板１８をキャスティング１９に保持している。なお、ランプ１１は、交換可能なようにランプ保持部材（図示省略）に着脱自在に保持されている。
【００２３】
ランプ１１は、画像投射用の光を出射するものであり、ランプバルブ２１とランプリフレクタ２２とを有し、ランプバルブ２１から放射された画像投射用の光をランプリフレクタ２２により反射集光して出射するようになっている。ランプ１１は、白色光を出射するものが用いられる。
【００２４】
配色装置１２は、ランプ１１から出射された画像投射用の光を配色するものであり、カラーホイール３１とモータ３２とを有し、カラーホイール３１がモータ３２により回転駆動される構成となっている。カラーホール３１は、円周方向（カラーホイール３１の回転方向）に沿って赤、緑、青、白（透明）の４色のカラーフィルタ３１ｒ，３１ｇ，３１ｂ，３１ｗが配列された構成になっている。ランプ１１から出射された画像投射用の光は、回転しているカラーホイール３１を透過することにより、赤、緑、青、白（透明）の４色に時系列的に配色される。
【００２５】
ライトインテグレータ１３は、配色装置１２により配色された画像投射用の光を凝縮し均一化して出射するものであり、４枚の硝子板を両端に開口（光入射側開口と光出射側開口）を有する筒状に接合することにより構成されている。このライトインテグレータ１３は、光入射側開口が配色装置１２のカラーホイール３１に隣接するように配置されている。配色装置１２により配色された画像投射用の光は、ライトインテグレータ１３の光入射側開口に入射し、内部で反射を繰り返すことにより凝縮され均一化されて、光出射側開口から出射される。
【００２６】
ダブレットレンズ１４は、ライトインテグレータ１３から出射される画像投射用の光を集光するものであり、２枚のレンズを含んでいる。反射ミラー１５は、ライトインテグレータ１３から出射されてダブレットレンズ１４を通った画像投射用の光を反射するものである。リレーレンズ１６は、反射ミラー１５により反射された画像投射用の光を集光するものである。
【００２７】
画像形成素子１７は、リレーレンズ１６から送られた（すなわちランプ１１から出射された）画像投射用の光を反射することにより画像を形成するものである。画像形成素子１７の構成、及び画像形成素子１７の保持構造の詳細については、後述する。回路基板１８は、画像形成素子１７を制御する制御信号を伝達するためのものである。投射レンズ３は、画像形成素子１７により反射された画像投射用の光（すなわち画像形成素子１７にて形成された画像）を投射するものであり、複数のレンズを含んでいる。
【００２８】
次に、上記画像投射エンジン２０の画像形成素子１７の保持構造について、図４及び図５（ａ）（ｂ）を参照して説明する。画像投射エンジン２０は、固定用スプリング４０により画像形成素子１７をキャスティング１９に固定し、導電性ゴムシート５０を介して画像形成素子１７と回路基板１８とを電気的に接続するようになっている。
【００２９】
画像形成素子１７は、図５（ａ）に示すように、画像形成面１７ａがガラス製の窓１７ｂに臨んだ構成となっている。画像形成面１７ａは、多数のマイクロミラーがマトリックス状に配列されて構成されており、各マイクロミラーの角度が制御されることにより、各マイクロミラーに照射される光を反射して画像を形成する。この画像形成素子１７は、窓１７ｂ（画像形成面１７ａ）の周縁から外方に突出する基台部１７ｃを有している。基台部１７ｃの外周形状は、略矩形状になっている。
【００３０】
また、画像形成素子１７は、図５（ｂ）に示すように、基台部１７ｃの背面（窓１７ｂと反対側の面）に多数の電極１７ｄが設けられている。この電極１７ｄは、画像形成面１７ａの各マイクロミラーの角度を制御するための制御信号を入力するためのものである。画像形成素子１７は、固定用スプリング４０によりキャスティング１９に固定され、導電性ゴムシート５０を介して回路基板１８と電気的に接続されるようになっている。
【００３１】
キャスティング１９は、開口１９ａを有している。開口１９ａは、画像形成素子１７の窓１７ｂ（従って画像形成面１７ａ）が臨む形状で、かつ画像形成素子１７の基台部１７ｃの外周形状よりも小さい形状に構成されている。
【００３２】
また、キャスティング１９は、位置決めリブ１９ｂと、面決めリブ１９ｃと、円柱状のスプリング保持突部１９ｄと、壁状のスプリング保持突部１９ｅと、ネジ孔部１９ｆとを有している。スプリング保持突部１９ｄ、１９ｅによりスプリング取付部が構成されている。位置決めリブ１９ｂ、面決めリブ１９ｃ、スプリング保持突部１９ｄ、突部１９ｅ、及びネジ孔部１９ｆは、キャスティング１９と共に、マグネシウム合金により一体に形成されている。
【００３３】
位置決めリブ１９ｂは、画像形成素子１７の取付位置（画像形成面１７ａの位置）を位置決めするものであり、開口１９ａの周辺の一部に形成されている。この位置決めリブ１９ｂは、その内側面１９ｈ、１９ｉに画像形成素子１７の基台部１７ｃの外周側面１７ｈ、１７ｉが当接されることにより、画像形成素子１７の取付位置を位置決めするようになっている。
【００３４】
面決めリブ１９ｃは、画像形成素子１７の取付角度（画像形成面１７ａの向き）を決めるものであり、開口１９ａの周辺の３箇所に形成されている。この面決めリブ１９ｃは、その先端に画像形成素子１７の基台部１７ｃの正面側（窓１７ｂ側）の面が当接されることにより、画像形成素子１７の取付角度を決めるようになっている。
【００３５】
スプリング保持突部１９ｄ、１９ｅは、固定用スプリング４０をキャスティング１９に保持するためのものであり、開口１９ａを挟んで位置決めリブ１９ｂと反対側の箇所に形成されている。スプリング保持突部１９ｄとスプリング保持突部１９ｅとの間は、固定用スプリング４０が挿入可能なように、僅かな間隔が空いている。ネジ孔部１９ｆは、回路基板１８を取付けるためのものであり、開口１９ａの周辺の４箇所に形成されている。
【００３６】
固定用スプリング４０は、画像形成素子１７をキャスティング１９に固定するためのものである。この固定用スプリング４０は、鉄製の板ばねを折り曲げて形成されており、画像形成素子１７を位置決めリブ１９ｂに押し付けるための押し付け部４０ａ、４０ｂを有している。固定用スプリング４０は、キャスティング１９の円柱状のスプリング保持突部１９ｄと壁状のスプリング保持突部１９ｅとの間に挿入することにより、キャスティング１９に取付けられて保持される。
【００３７】
上記画像形成素子１７は、キャスティング１９に設けられた位置決めリブ１９ｂとキャスティング１９に取付けられた固定用スプリング４０との間に嵌め込むことにより、キャスティング１９に保持される。位置決めリブ１９ｂ、スプリング保持突部１９ｄ、１９ｅ、及び固定用スプリング４０は、固定用スプリング４０の押し付け部４０ａ、４０ｂがその弾性力により、嵌め込まれた画像形成素子１７の基台部１７ｃの外周側面１７ｊ、１７ｋ（画像形成素子１７の位置決めリブ１９ｂに当接される２つの側面と反対側の隣接する２つの側面）を位置決めリブ１９ｂの内側面１９ｈ、１９ｉに向けて押し付け得る寸法に設計されている。
【００３８】
導電性ゴムシート５０は、画像形成素子１７の電極１７ｄと回路基板とを電気的に接続するコネクタの役割を果たすものである。この導電性ゴムシート５０は、導電性の金属細線が絶縁性のシート状ゴム部材に微小ピッチで多数埋設された構造となっており、画像形成素子１７と回路基板１８との間に挟んで圧迫することにより、導電性の金属細線が画像形成素子１７の各電極１７ｄと回路基板１８とに接触して、画像形成素子１７の電極１７ｄと回路基板とを電気的に接続するようになっている。
【００３９】
次に、上記画像投射エンジン２０の画像形成素子１７の取付手順について、図６（ａ）（ｂ）を参照して説明する。まず、固定用スプリング４０をキャスティング１９の円柱状のスプリング保持突部１９ｄと壁状のスプリング保持突部１９ｅとの間に挿入する（図６（ａ）参照）。これにより、固定用スプリング４０は、キャスティング１９に取付けられて保持される。
【００４０】
次に、画像形成素子１７の画像形成面１７ａ（窓１７ｂ側）をキャスティング１９の開口１９ａに向けて、画像形成素子１７をキャスティング１９の位置決めリブ１９ｂと固定用スプリング４０との間に嵌め込む（図６（ｂ）参照）。これにより、画像形成素子１７は、画像形成面１７ａ（窓１７ｂ）がキャスティング１９の開口１９ａに臨んだ状態に取付けられる。また、画像形成素子１７は、基台部１７ｃの外周側面１７ｊ、１７ｋが固定用スプリング４０の押し付け部４０ａ、４０ｂにより位置決めリブ１９ｂに向けて押し付けられ、基台部１７ｃの外周側面１７ｈ、１７ｉが位置決めリブ１９ｂの内側面１９ｈ、１９ｉに当接されて、位置決めされた状態に固定される。
【００４１】
そして、導電性ゴムシート５０を画像形成素子１７の背面に貼り付けた後、回路基板１８をキャスティング１９のネジ孔部１９ｆにネジ止めする（図３（ｂ）参照）。これにより、画像形成素子１７は、導電性ゴムシート５０を介して回路基板１８に押し付けられ、基台部１７ｃの窓１７ｂ側の面が面決めリブ１９ｃの先端に当接された状態が維持されて、画像形成面１７ａが面決めされた状態に固定される。画像形成素子１７は、導電性ゴムシート５０により、回路基板１８と電気的に接続された状態となる。
【００４２】
上記構成の投射型画像表示装置１によれば、固定用スプリング４０により画像形成素子１７をキャスティング１９の位置決めリブ１９ｂに押し付けて固定する構成であるため、画像形成素子１７の保持構造は簡単なものになる。しかも、画像形成素子１７は、キャスティング１９の位置決めリブ１９ｂに押付けられるため、部品誤差等による保持位置の誤差が少なくなり、適切な位置に精度良く位置決めされて保持される。さらに、画像形成素子１７は、隣接する２つの側面（基台部１７ｃの外周側面１７ｈ、１７ｉ）が位置決めリブ１９ｂに当接されるため、精度よく位置決めされると共に安定した状態に保持される。
【００４３】
また、固定用スプリング４０は、キャスティング１７の円柱状のスプリング保持突部１９ｄと壁状のスプリング保持突部１９ｅとの間に挿入するだけで、容易にキャスティング１９に取付けられる。また、画像形成素子１７は、位置決めリブ１９ｂと固定用スプリング４０との間に嵌め込むだけで、容易にキャスティング１９に取付けられる。
【００４４】
また、固定用スプリング４０は、鉄により形成されているためアウトガスを発生することがなく、また、位置決めリブ１９ｂ、面決めリブ１９ｃ、及びスプリング保持突部１９ｄ、１９ｅも、マグネシウム合金により形成されているため、アウトガスを発生することがない。従って、画像形成素子１７の窓１７ｂや、投射レンズ３、配色装置１２のカラーホイール３１、ライトインテグレータ１３、ダブレットレンズ１４、反射ミラー１５、リレーレンズ１６は、汚れが抑えられる。
【００４５】
なお、本発明は、上記実施形態の構成に限られず、種々の変形が可能である。例えば、上記実施形態において、位置決めリブ１９ｂは、キャスティング１９と一体に形成されたものに限られず、キャスティング１９と別体に形成したものをキャスティング１９に設けた構成であってもよい。この場合、位置決めリブ１９ｂは、キャステンィング１９と同じマグネシウム合金や他の金属等のアウトガスを発生しない材料により形成するのが好ましい。また、位置決めリブ１９ｂは、画像形成素子１７を安定して位置決めできるものであれば、どのような形状であってもよい。
【００４６】
スプリング保持突部１９ｄ、１９ｅは、キャスティング１９と一体に形成されたものに限られず、キャスティング１９と別体に形成したものをキャスティング１９に設けた構成であってもよい。この場合、スプリング保持突部１９ｄ、１９ｅは、キャステンィング１９と同じマグネシウム合金や他の金属等のアウトガスを発生しない材料により形成するのが好ましい。また、スプリング保持突部１９ｄ、１９ｅは、固定用スプリング４０を保持できる形状であれば、どのような形状であってもよい。
【００４７】
固定用スプリング４０は、鉄に限らず、他の材料により形成されたものであってもよい。この場合、固定用スプリング４０は、金属等のアウトガスを発生しない材料により形成するのが好ましい。また、固定用スプリング４０は、スプリング保持突部１９ｄ、１９ｅに保持された状態で、画像形成素子１７を位置決めリブ１９ｂに向けて押し付けるものであれば、どのような形状であってもよい。また、投射型画像表示装置１は、装置１と別に設けられたスクリーン等に画像を投射して表示するものに限らず、装置１に備えられたディスプレイパネルに投射して表示するものであってもよい。
【図面の簡単な説明】
【００４８】
【図１】本発明の一実施形態に係る投射型画像表示装置の概略構成を示す斜視図。
【図２】同投射型画像表示装置の画像投射光学系を示す斜視図。
【図３】（ａ）（ｂ）は同投射型画像表示装置の画像投射エンジンの構成を示す斜視図。
【図４】同画像投射エンジンの画像形成素子の保持構造を示す分解斜視図。
【図５】（ａ）は導画像投射エンジンの画像形成素子の構成を示す正面側から見た斜視図、（ｂ）は同画像形成素子の背面側から見た斜視図。
【図６】（ａ）（ｂ）は同画像投射エンジンの画像形成素子の取付手順を示す斜視図。
【図７】（ａ）（ｂ）は従来の投射型画像表示装置の画像形成素子の保持構造を示す斜視図。
【符号の説明】
【００４９】
１  投射型画像表示装置
２  外装ケース
３  投射レンズ
１０  画像投射光学系
１１  ランプ
１２  配色装置
１３  ライトインテグレータ
１４  ダブレットレンズ
１５  反射ミラー
１６  リレーレンズ
１７  画像形成素子
１７ａ  画像形成面
１７ｂ  窓
１７ｃ  基台部
１７ｄ  電極
１８  回路基板
１９  キャスティング
１９ａ  開口
１９ｂ  位置決めリブ
１９ｃ  面決めリブ
１９ｄ、１９ｅ  スプリング保持突部（スプリング取付部）
１９ｆ  ネジ孔部
２０  画像投射エンジン
４０  固定用スプリング
５０  導電性ゴムシート
【図１】
2005300617.tif 000002
【図２】
2005300617.tif 000003
【図３】
2005300617.tif 000004
【図４】
2005300617.tif 000005
【図５】
2005300617.tif 000006
【図６】
2005300617.tif 000007
【図７】
2005300617.tif 000008